(57)【要約】      （修正有）【課題】大きな保管場所を必要とせず、安価な浸漬用ユニットを提供する。【解決手段】パレット２の対向する側面側に間隔をおいて少なくとも２個のパレット側軸受部８を設けたパレット２と、パレット側軸受部８と係合する支持体側軸受部１１を両端部に有する支持体４と、パレット側軸受部８及び支持体側軸受部１１に着脱自在に挿入される軸ピンとを備え、２個の前記パレット２を支持体４によって連結することによって立体的な枠体１３を構成し、２個の前記パレット２の間の空間を果実収容ケース１２の収容空間とする。【選択図】図３
0003144917.tif 000002
【実用新案登録請求の範囲】
【請求項１】
パレットの対向する側面側に間隔をおいて少なくとも２個の第１係合部を設けたパレットと、前記第１係合部と着脱自在に係合する第２係合部を両端部に有する支持体とを備え、前記２個の前記パレットを前記支持体によって連結することによって立体的な枠体を構成し、前記２個の前記パレットの間の空間を果実収容ケースの収容空間としたことを特徴とする、果実の浸漬用ユニット。
【請求項２】
パレット２の対向する側面側に間隔をおいて少なくとも２個のパレット側軸受部を設けたパレットと、前記パレット側軸受部と係合する支持体側軸受部を両端部に有する支持体と、前記パレット側軸受部及び前記支持体側軸受部に着脱自在に挿入される軸ピンとを備え、前記２個の前記パレットを前記支持体によって連結することによって立体的な枠体を構成し、前記２個の前記パレットの間の空間を果実収容ケースの収容空間としたことを特徴とする、果実の浸漬用ユニット。
【請求項３】
請求項２に記載の果実の浸漬用ユニットにおいて、前記パレット側軸受部を有した保持体を汎用パレットに取付けることによって前記パレットを構成した、果実の浸漬用ユニット。
【請求項４】
請求項３に記載の果実の浸漬用ユニットにおいて、前記支持体を長尺平板で構成し、前記長尺平板の両端部に前記支持体側軸受部を形成した、果実の浸漬用ユニット。
【請求項５】
請求項４に記載の果実の浸漬用ユニットにおいて、前記枠体を構成したときに下側パレットにおいて前記保持体は最も下側に位置し、上側パレットにおいて前記保持体は最も上側に位置する状態のみ、前記長尺平板が前記パレット側軸受部に連結できるように、前記正規の連結方向と反対の方向の前記長尺平板の連結を行わせないような突起部が前記パレット側軸受部に近接して設けられている、果実の浸漬用ユニット。
【請求項６】
請求項２に記載の果実の浸漬用ユニットにおいて、前記パレット側軸受部を前記パレットの本体部に一体的に形成してある、果実の浸漬用ユニット。
【請求項７】
請求項２に記載の果実の浸漬用ユニットにおいて、前記枠体を浸漬樽内に載置した場合に前記浸漬樽の上端面から上側パレットが突出するように、前記上端面の高さ位置と前記長尺平板の長さを設定してある、果実の浸漬用ユニット。
【請求項８】
請求項１から請求項７のいずれか一項に記載の果実の浸漬用ユニットにおいて、前記果実を梅の実とした、果実の浸漬用ユニット。
【考案の詳細な説明】
【技術分野】
【０００１】
本考案は梅の実などの果実を水没させて害虫を除去するための浸漬用ユニットに関する。
【背景技術】
【０００２】
近年、梅の実を木で完熟させて落下した、又は落下直前の梅を収穫し塩漬けして、高級品の梅干として販売されるようになっている。このためには、落下した梅の実をすぐその日のうちに塩漬けすることが必要になる。これは、２〜３日梅の実を落下した状態にしておくと、体長３ｍｍ〜４ｍｍのアカマダラケシキスイという虫が果肉の中に入ってしまうからである。
【０００３】
しかし、広大な梅畑において収穫される全ての梅を一晩中に塩漬けすることは難しいことから、虫の除去のために収穫した梅の実を３０分程度水に漬けることが行われている。この方法は、図６に示すように、梅の実を入れる収容ケース４６を２４〜３２個程度、一度に入れる立体形状の枠体４５に入れて、その枠体４５ごと専用樽に水没させる方法である。
【０００４】
なお、果実の害虫を駆除する従来技術としては、樹木に巻回される表地の外周に虫が這い上がれないような棒状体を多数縦設して、虫などが表地の外周を経て果実に到達するのを防止する技術が下記特許文献１に提案されている。
【特許文献１】特開２０００−１８４８４７「樹木保護バンド」
【考案の開示】
【考案が解決しようとする課題】
【０００５】
しかしながら、梅の実を水漬けするための枠体を用いる方法では、以下のような課題がある。
約２０ｋｇの梅の実が入る大きさのケースを２４〜３６個程度一度に入れる立体的な枠体４５は鋼鉄製であり、溶接等により製造するため枠体の製造コストが高くなる。また、大きな枠体を保管する場所が必要になり、梅の実採取時以外は邪魔になる。
【０００６】
本考案は上記課題に鑑みてなされたものであり、本考案の目的は上記課題を解決できる、果実の浸漬用ユニットを提供することにある。
具体的な目的の一例を示すと、以下の通りである。
（ａ）果実浸漬用の枠体を購入するよりも安価であり、大きな保管場所を必要としない果実の浸漬用ユニットを提供する。
なお、上記に記載した以外の考案の課題、その解決手段及びその効果は、後述する明細書内の記載において詳しく説明する。
【課題を解決するための手段】
【０００７】
本考案は多面的に表現できるが、例えば、代表的なものを挙げると、次のように構成したものである。なお、下記各考案において、各符号は後述する実施形態との対応関係を分かりやすくするために一例として示したものであり、本考案の各構成要素は、実施形態に記載した符号に係る構成に限定されないことは言うまでもない。
【０００８】
第１考案は、パレット２の対向する側面側に間隔をおいて少なくとも２個の第１係合部４１を設けたパレット２と、前記第１係合部４１と着脱自在に係合する第２係合部４２を両端部に有する支持体４とを備え、前記２個の前記パレット２を前記支持体４によって連結することによって立体的な枠体１３を構成し、前記２個の前記パレット２の間の空間を果実収容ケース１２の収容空間としたことを特徴とする。
なお、「パレットの対向する側面側」とは、パレットの隣り合う側面とは違う対向する側面の側という意味であり、パレットの側面に近い表面位置に第１係合部（下記パレット側軸受部も同じ）が設けられた場合も含む。
この構成であれば、支持体を用いることによって２個のパレットを立体的な枠体として構成できる。２個のパレットと支持体によって果実の浸漬用の枠体を構成できるので、浸漬専用の枠体を購入するよりも安価である。また、果実採取時以外はパレットと支持体を個々に分解することができるので、大きな保管場所を必要としない。
【０００９】
第２考案は、パレット２の対向する側面側に間隔をおいて少なくとも２個のパレット側軸受部８を設けたパレット２と、前記パレット側軸受部８と係合する支持体側軸受部１１を両端部に有する支持体４と、前記パレット側軸受部８及び前記支持体側軸受部１１に着脱自在に挿入される軸ピン３とを備え、前記２個の前記パレット２を前記支持体４によって連結することによって立体的な枠体１３を構成し、前記２個の前記パレット２の間の空間を果実収容ケース１２の収容空間としたことを特徴とする。
この構成であれば、支持体によって２個のパレットを立体的な枠体として構成でき、しかも支持体はパレットに対して揺動することができるので枠体を組み立てやすい。２個のパレットと支持体によって果実の浸漬用の枠体を構成できるので、浸漬専用の枠体を購入するよりも安価である。また、果実採取時以外は軸ピンをパレット側軸受部と支持体側軸受部から抜くことによってパレットと支持体を個々に分解することができるので、大きな保管場所を必要としない。
【００１０】
第３考案は、第２考案において、前記パレット側軸受部８を有した保持体９を汎用パレットに取付けることによって前記パレット２を構成したことを特徴とする。
この構成であれば、汎用パレットに保持体を取付けることによって浸漬用パレットを構成することができるので、特注のパレットを製造する必要がなく、安価に浸漬用ユニットを提供できる。
【００１１】
第４考案は、第３考案において、前記支持体４を長尺平板１０で構成し、前記長尺平板１０の両端部に前記支持体側軸受部１１を形成したことを特徴とする。
この構成であれば、パレット側軸受部におけるガタをほとんどなくすことができる。
【００１２】
第５考案は、第４考案において、前記枠体１３を構成したときに下側パレット２ａにおいて前記保持体９は最も下側に位置し、上側パレット２ｂにおいて前記保持体９は最も上側に位置する状態のみ、前記長尺平板１０が前記パレット側軸受部８に連結できるように、前記正規の連結方向と反対の方向の前記長尺平板１０の連結を行わせないような突起部２０が前記パレット側軸受部８に近接して設けられていることを特徴とする。
この構成であれば、保持体とパレットの接続部に枠体の引き上げ力が作用することを防止して、確実な引き上げを確保することができる。
【００１３】
第６考案は、第２考案において、前記パレット側軸受部８を前記パレット２の本体部に一体的に形成してあることを特徴とする。
この構成であれば、上記パレットは果実浸漬用のパレットだけでなく、通常のパレットとして使用しやすくなるので、その用途を増やすことができる。
第７考案は、第２発明において、前記枠体１３を浸漬樽１４内に載置した場合に前記浸漬樽１４の上端面１４ａから上側パレット２ｂが突出するように、前記上端面１４ａの高さ位置と前記長尺平板１０の長さを設定してあることを特徴とする。
この構成であれば、一般に普及している浸漬樽に最適な浸漬用ユニットを提供できる。
第８考案は、第１考案〜第７考案のいずれか一つに記載の考案において、前記果実を梅の実としたことを特徴とする。
この構成であれば、梅農家は梅の実の浸漬において上記各利点を享受できる。
【考案の効果】
【００１４】
以上説明したように本考案であれば、浸漬専用の枠体を購入するよりも安価であり、大きな保管場所を必要としない果実の浸漬用ユニットを提供できる。
【考案を実施するための最良の形態】
【００１５】
以下、本考案の実施の形態を図面に基づき説明する。
図１は第１実施形態を説明するための浸漬用ユニットの斜視図である。なお、以下の記述では果実として梅の実を採用した場合を例にとり説明する。
図１に示すように、この梅の実の浸漬用ユニット１は、２個のパレット２と、軸ピン３と、長い形の支持体４とから構成してある。
このパレット２は、略正四角形の偏平な形状であり、各側面にはフォークリフト５のアーム６（図４参照）が挿入できる挿入孔７が設けられている。パレット２の一方側の表面１６には、パレット側軸受部８が形成された保持体９がボルトなどで固定してある。なお、他方側の表面には保持体９は取付けられていない。
図１に示す構成では、保持体９は四角形の金属製枠で構成してある。その四角形の対向する一対の辺１７にはそれぞれ２個のパレット側軸受部８を設けてある。
【００１６】
前記支持体４の一例としての長尺平板１０は、細長く平らな鋼板で構成したものであり、各浸漬用ユニット１に少なくとも４個設けられている。長尺平板１０の両端部には前記パレット側軸受部８と係合する支持体側軸受部１１を有している。
軸ピン３は一端を先細に形成し、他端を曲げて形成したピンである。軸ピン３は、パレット側軸受部８及び支持体側軸受部１１に挿入後した状態で長尺平板１０を軸受部８・１１周りに揺動させることができる軸として機能する。
なお、第１考案に記載の第１係合部４１は前記パレット側軸受部８によって構成される。また、第１係合部４１と着脱自在に係合する第２係合部４２は、支持体側軸受部１１及び軸ピン３によって構成される。
【００１７】
図２はパレット側軸受部における長尺平板の取付けの様子を示す図である。
パレット側軸受部８は一対の軸受８ａ・８ｂが保持体９の枠側面に設けてある。この一対の軸受８ａ・８ｂの間に長尺平板１０の支持体側軸受部１１を配置し、軸ピン３を挿入することによってヒンジ構造を構成する。この状態では長尺平板１０は軸ピン３の回りに揺動して、長尺平板１０をパレット側軸受部８に取付けることが行ないやすくなる。
なお、パレット側軸受部８に近接して突起部２０が形成してある。突起部２０については後述する。
【００１８】
図３は浸漬用ユニットの組み立て方法の一例を示す図である。
梅の実の浸漬用の枠体を構成するときは、図３に示すように、まず、保持体９を地面側に向けて置いた下側パレット２ａ上に梅の実１８が入った収容ケース１２を積み重ねる。この状態で下側パレット２ａのパレット側軸受部８に一方側の長尺平板１０の支持体側軸受部１１を取付ける。そして収容ケース１２の上に上側パレット２ｂを載置し、その上側パレット２ｂのパレット側軸受部８に他方側の長尺平板１０の支持体側軸受部１１を取付ける。取付ける際には、長尺平板１０は軸ピン回りに揺動できるので取付けやすい。
長尺平板１０を上側パレット２ｂに取付けた状態では上側パレット２ｂは長尺平板１０に支持された状態になり、全体として立体的な枠体１３が完成する。
【００１９】
また、図２にも示すように、前記枠体１３を構成したときに下側パレット２ａにおいて前記保持体９は最も下側に位置し、上側パレット２ｂにおいて前記保持体９は最も上側に位置する状態のみ前記長尺平板１０がパレット側軸受部に連結できるように、前記正規の連結方向と反対の方向の前記長尺平板１０の連結を行わせないような突起部２０が前記パレット側軸受部８に近接して設けられている
【００２０】
図３に示す組み立て方法の他には、パレット側軸受部８が取付けられていない側面を下側にして２個のパレット２を地面に置いた状態で長尺平板１０を取付けて枠体１３を組み立てた後、その枠体１３を図３に示す状態に引き起こしてもよい。この場合は、長尺平板１０の取付けていないパレット２の面側から収容ケース１２を枠体１３内に入れて、下側パレット２ａ上に積み重ねることになる。
【００２１】
図４は浸漬樽に枠体を浸漬する様子を示す図である。
本実施形態の浸漬用ユニット１に使用される浸漬樽１４は、略立方体形状の容器が好ましい。この浸漬樽１４は、枠体１３を浸漬樽１４内に載置した場合に浸漬樽１４の上端面１４ａから上側パレット２ｂが突出するように、上端面１４ａの高さ位置と長尺平板１０の長さが調整してある。
梅農家において最も普及している浸漬樽１４の標準高さに合わせて長尺平板１０の長さを調整しておけば、本実施形態の浸漬用ユニット１は大多数の浸漬樽１４に好適に使用でき、農家の出費を抑えることができる。
【００２２】
以下、本実施形態の利点について説明する。
この実施形態であれば、汎用のパレットに保持体９をナットなどによって取付けるだけで浸漬に使用できるパレットを製造できるので、特別のパレットを製造する必要がなく、浸漬用ユニット全体の製造コストを下げることができる。
【００２３】
また、下側パレット２ａ、上側パレット２ｂにおいてもパレット本体を介して保持体９に力がかかるので、保持体９とパレット２の接続部に力が係らない構成とすることができる。
つまり、上記突起部２０を有しているので、図４に示すようなフォークリフト５のアーム６の引き上げ力によって枠体が持ち上げられたときに、保持体９とパレット２のボルトなどの接続部にその引き上げ力が作用する形態でパレット側軸受部８と支持体４が連結されることを確実に防止できる。
【００２４】
支持体４の端部を長い平板で構成し、その平板の端部に支持体側軸受部１１を形成するとともに、パレット２の対向する側面においてパレット側軸受部８を互いに離して少なくとも２個設けているので、軸ピン３に支持された場合に長尺平板のガタ（揺れ）がほとんどない。これは平板なので支持体側軸受部１１がある程度の長さを持ち、その支持体側軸受部１１が距離を持って２個配置され、それぞれに軸ピン３が貫通するからである。
【００２５】
（第２実施形態）
図５は第２実施形態におけるパレットの斜視図である。
この実施形態に係るパレット２はパレット側軸受部８をパレット２と一体化した構成である。一体化する方法としては、パレット２の合成樹脂内に金属製の軸受部を埋め込む方法や、パレット側軸受部８の部分を強度の高い合成樹脂で作る方法などがある。
このパレットであれば、汎用パレットを利用することなく、果実浸漬用パレットとして特別に作る必要があるが、保持体９のような部材が取り付けられていないので、他の用途におけるパレットの機能性が向上する。
【００２６】
本考案は上記実施形態の構成に限らず、本考案の要旨の範囲内で種々の変形が可能である。
（１）前記実施形態では支持体４を長尺平板１０で構成したが、長尺平板１０の横幅を広くして面状の支持体４で構成することもできる。但し、運搬や保管に支障が出る大きさや重さでないことが必要である。
（２）重量が大きい果実を多量に浸漬する場合に支持体４の支持重量を増すために、パレット側軸受部８を２個ではなく、３個又は４個というように数を増やすことも可能である。さらに、パレット側軸受部８をパレット２の全ての側面に設けておき、４側面に支持体４を取付けることも可能である。
（３）前記実施形態では保持体９を金属製枠で構成したが、炭素樹脂等の強度のある樹脂などによってパレット側軸受部８を備えた保持体９を汎用パレット２とは別に製造し、その保持体９を汎用パレット２に接着剤によって固定して、本考案に係るパレットを製造してもよい。
【図面の簡単な説明】
【００２７】
【図１】図１は果実の浸漬用ユニットの一例である。
【図２】図２は支持体とパレット側軸受部の部分的な拡大図である。
【図３】図３は浸漬用ユニットの組み立て方法の一例である。
【図４】図４は組み立てられた枠体を浸漬樽に入れる様子を示す図である。
【図５】図５は本考案に係るパレットの一変形例である。
【図６】図６は従来の浸漬用枠体の一例である。
【符号の説明】
【００２８】
２…パレット、２ａ…下側パレット、２ｂ…上側パレット、３…軸ピン、４…支持体、８…パレット側軸受部、９…保持体、１０…長尺平板（支持体）、１１…支持体側軸受部、１２…収容ケース（果実収容ケース）、１３…枠体、１４…浸漬樽、１４ａ…浸漬樽の上端面、２０…突起部、４１…第１係合部、４２…第２係合部。
【図１】
0003144917.tif 000003
【図２】
0003144917.tif 000004
【図３】
0003144917.tif 000005
【図４】
0003144917.tif 000006
【図５】
0003144917.tif 000007
【図６】
0003144917.tif 000008